(57)【要約】【課題】輝度を増大し視認性向上を図ることのできる空気清浄機の発光表示装置を提供すること。【解決手段】空気の清浄手段７を設けた本体３と、細長形状の透光体９の両端から照射する青色のＬＥＤ１０と赤色のＬＥＤ１１を設けた空気の汚れ度合を色表示する発光表示体１３とを備え、前記発光表示体１３を本体３の前面側に設けたことにより、発光表示体１３の輝度が増大し、視認性向上を図ることができるとともに、ＬＥＤ１１の数を削減して安価に製造することができる。【選択図】  図１
2005003334.tif 000002
【特許請求の範囲】
【請求項１】
空気の清浄手段を設けた本体と、細長形状の透光体の両端から照射するＬＥＤを設けた空気の汚れ度合を色表示する発光表示体とを備え、前記発光表示体を本体の前面側に設け表示する構成とした空気清浄機の発光表示装置。
【請求項２】
空気の清浄手段を設けた本体と、この本体の前面側に設けられる合成樹脂製のフロントパネルと、このフロントパネルに一体成形した薄肉形状の表示部とを備え、前記表示部の裏面側からＬＥＤの光を透過して表示する空気清浄機の発光表示装置。
【請求項３】
本体の前面にフロントパネルを設け、前記フロントパネルに細長形状の反射面を形成し、発光表示体の透光体の近傍に前記反射面を配設し前方に反射させる構成とした請求項１記載の空気清浄機の発光表示装置。
【請求項４】
透光体の両端に発光色の異なるＬＥＤを設けた請求項１記載の空気清浄機の発光表示装置。
【請求項５】
透光体の両端に設けられるＬＥＤ輝度を調整する構成とした請求項１記載の空気清浄機の発光表示装置。
【請求項６】
表示部の裏面側に並設される発光色の異なるＬＥＤを設け、このＬＥＤの発光を組み合わせて前記表示部に表示する構成とした請求項２記載の空気清浄機の発光表示装置。
【発明の詳細な説明】
【０００１】
【発明の属する技術分野】
本発明は、空気の汚れ度合に応じ発光表示体により色表示を行なう空気清浄機の発光表示装置に関する。
【０００２】
【従来の技術】
従来、この種の空気清浄機の発光表示装置を設けたものが知られている（例えば特許文献１参照）。以下、その空気清浄機の発光表示装置について図１６を参照しながら説明する。
【０００３】
図１６に示すように、表示部１０１に１０個の２色ＬＥＤ１０２を帯状に配列し、空気の汚れが少ないときには、すべての２色ＬＥＤ１０２は緑色に点灯する。そして、汚れが１になると一番左端の２色ＬＥＤ１０２は緑色から赤色に変わる
。さらに、汚れが４になると左端４つの２色ＬＥＤ１０２が緑色から赤色に変わる。このように汚れレベルが上がるほど、そのレベルに応じた２色ＬＥＤ１０２が順に緑色から赤色に変わり汚れ度合を表示していた。
【０００４】
【特許文献１】
特開平８−３１８１１７号公報（［００２２］、図２、図５、図６）
【０００５】
【発明が解決しようとする課題】
このような従来の空気清浄機の発光表示装置では、１０個の２色ＬＥＤ１０２を使用するため構造が複雑でコスト高になるとともに、大まかな汚れ度合を即座に知るには表示が細かすぎるという課題があった。
【０００６】
本発明は、上記従来の課題を解決するもので、発光部分を拡げて視認性向上を図ることができ、また、製造コストの削減を図ることのできる空気清浄機の発光表示装置を提供することを目的とする。
【０００７】
【課題を解決するための手段】
上記従来の課題を解決するために、本発明の空気清浄機の発光表示装置は、空気の清浄手段を設けた本体と、細長形状への透光体の両端から照射するＬＥＤを設けた空気の汚れ度合を色表示する発光表示体とを備え、前記発光表示体の前面側に設け表示する構成としたものである。
【０００８】
また、空気の清浄手段を設けた本体と、この本体の前面側に設けられる合成樹脂製のフロントパネルと、このフロントパネルに一体成形した薄肉形状の表示部とを備え、前記表示部の裏面側からＬＥＤの光を透過して表示する構成としたものである。
【０００９】
また、本体の前面にフロントパネルを設け、前記フロントパネルに細長形状の反射面を形成し、発光表示体の透光体の近傍に前記反射面を配設し前方に反射する構成としたものである。
【００１０】
また、透光体の両端に発光色の異なるＬＥＤを設け構成したものである。
【００１１】
また、透光体の両端に設けられるＬＥＤの輝度を調整する構成としたものである。
【００１２】
また、表示部の裏面側に並設される発光色の異なるＬＥＤを設け、このＬＥＤの発光を組み合わせて前記表示部に表示する構成としたものである。
【００１３】
【発明の実施の形態】
請求項１に記載の発明は、空気の清浄手段を設けた本体と、細長形状の透光体の両端から照射するＬＥＤを設けた空気の汚れ度合を色表示する発光表示体とを備え、前記発光表示体を本体の前面側に設け表示する構成としたことにより、ＬＥＤから照射される光が細長形状の透光体の両端から照射されると細長形状の発光表示体が明るく輝いて視認性向上を図ることができる。
【００１４】
請求項２記載の発明は、空気の清浄手段を設けた本体と、この本体の前面側に設けられる合成樹脂製のフロントパネルと、このフロントパネルに一体成形した薄肉形状の表示部とを備え、前記表示部の裏面側からＬＥＤの光を透過して表示する構成としたことにより、化粧パネルや別部品等が不要となり、製造コスト削減を図ることができる。
【００１５】
請求項３に記載の発明は、本体の前面にフロントパネルを設け、前記フロントパネルに細長形状の反射面を形成し、発光表示体の透光体の近傍に前記反射面を配設し前方に反射させる構成としたことにより、発光表示体で発光された光を反射面で増巾してより視認性の向上を図ることができる。
【００１６】
請求項４に記載の発明は、透光体の両端に発光色の異なるＬＥＤを設けたことにより、透光体の略中央で混合色が発生し、３段階表示ができ、多用途に利用できる。
【００１７】
請求項５に記載の発明は、透光体の両端に設けられるＬＥＤの輝度を調整する構成としたことにより、清浄度合を段階的に表示することができる。
【００１８】
請求項６に記載の発明は、表示部の裏面側に並設される発光色の異なるＬＥＤを設け、このＬＥＤの発光を組み合わせて前記表示部に表示する構成としたことによりＬＥＤの色、照射範囲および照射位置の変化で汚れ度合を表示することとなり、ＬＥＤの個数削減および表示場所の省スペース化が図れる。
【００１９】
以下、本発明の実施例について、図面を参照しながら説明する。
【００２０】
【実施例】
（実施の形態１）
図１〜図８に示すように、吸込口１と吹出口２を設けた本体３の前面開口を覆うようにフロンとパネル４を設け、本体３の内部には送風手段５と集塵ユニット６よりなる空気の清浄手段７を設け、本体３とフロントパネル４間に補助吸込口８を設けている。フロントパネル４の前面左側の端部には細長形状の透光体９を縦方向に設け、透光体９の両端位置に対応させて本体３に青色のＬＥＤ１０と赤色のＬＥＤ１１よりなるＬＥＤ群１２Ａ、１２Ｂを設け、透光体９を両端から照射するように発光表示体１３を形成している。発光表示体１３の近傍には発光表示体１３から照射される光を前方に反射する縦長形状の反射面１４をフロントパネル４に形成している。また汚れ度合を検出する汚れセンサ１５を本体３に設け、汚れレベルに応じてＬＥＤ群１２Ａ、１２Ｂの各々の青色のＬＥＤ１０と赤色のＬＥＤ１１を切替点灯制御する制御手段（図示せず）を設け構成する。
【００２１】
上記構成において、汚れセンサ１５により検出された室内の汚れレベルが図７および図８に示すように０の場合には、ＬＥＤ群１２Ａの青色のＬＥＤ１０とＬＥＤ群１２Ｂの青色のＬＥＤ１０が点灯して透光体９の両端より照射され、発光表示体１３は青色で表示され、送風手段５の運転は停止される。
【００２２】
次に、汚れレベルが１または２の場合には、ＬＥＤ群１２Ａの青色のＬＥＤ１０とＬＥＤ群１２Ｂの赤色のＬＥＤ１１が点灯し、ＬＥＤ群１２Ｂの青色のＬＥＤ１０は消灯し、透光体９の略中間位置ではＬＥＤ群１２Ａの青色のＬＥＤ１０による青色と、ＬＥＤ群１２Ｂの赤色のＬＥＤ１１による赤色が混合した紫色で表示され、送風手段５の運転モードは弱または中で運転される。
【００２３】
そして、汚れセンサ１５で検出された汚れレベルが３、４、５の場合には汚れ表示は、ＬＥＤ群１２ＡとＬＥＤ群１２Ｂの赤色のＬＥＤ１１がともに点灯し、青色のＬＥＤ１０は消灯し、透光体９は赤色のＬＥＤ１１により照射され、発光素子体１３は赤色で表示され、送風手段５の運転モードは中または急速運転となり、汚れを空気清浄手段７で速やかに清浄化する。
【００２４】
また、青色のＬＥＤ１０または赤色のＬＥＤ１１で照射し透光体９で発光した光は発光表示体１３より出て反射面１４で反射され、より明るく表示される。
【００２５】
このように本発明の実施例１の空気清浄機の発光表示装置によれば、空気の清浄手段７を設けた本体３と、細長形状の透光体９の両端から照射する青色のＬＥＤ１０と赤色のＬＥＤ１１を設けたＬＥＤ群１２Ａ、１２Ｂを設けた空気の汚れ度合を色表示する発光表示体１３とを備え、発光表示体１３を本体３の前面側に設け表示するようにしたことにより、透光体９には両端よりＬＥＤ群１２Ａ、１２Ｂの青色のＬＥＤ１０または赤色のＬＥＤ１１からの光が照射されることとなり、透光体９は明るく輝き、発光表示体１３視認性が向上される。
【００２６】
また、本体３の前面にフロントパネル４を設け、フロントパネル４に細長形状の反射面１４を形成し、発光表示体１３の透光体９の近傍に反射面１４を配設し反射させる構成としたことにより、青色のＬＥＤ１０または赤色のＬＥＤ１１で照射し発光した光は発光表示体１３より出て反射面１４で反射され増巾されてより視認性を向上することができる。
【００２７】
また、透光体９の両端に発光色の異なる青色のＬＥＤ１０と赤色のＬＥＤ１１を設けたので、青色の光と赤色の光が合う部分で色が混合した紫色となり、青色、紫色、赤色の３段階の色表示が可能となる。
【００２８】
なお、実施例１では、細長形状の発光表示体１３を縦方向に形成したが、横方向に形成しても同様の作用効果をもたらすことはいうまでもない。
【００２９】
（実施例２）
図９および図１０に示すように、透光体９Ａの上側に青色ＬＥＤ１０Ａを設け、下側に赤色のＬＥＤ１１Ａを設け、青色のＬＥＤ１０Ａと赤色のＬＥＤ１１Ａの輝度を電流を可変して調整する電流調整手段（図示せず）を設け構成する。
【００３０】
上記構成において、汚れレベルが低く零のときには、青色のＬＥＤ１０Ａの輝度を高め、図１０の（Ａ）のように透光体９全体を青色で表示し、汚れレベルが図１０の（Ｂ）、（Ｃ）、（Ｄ）と高まるに従い青色のＬＥＤ１０Ａの輝度を段階的に下げ、赤色のＬＥＤ１１Ａの輝度を逆に高めることにより、赤色のＬＥＤ１１Ａによる赤色表示部分が段階的に増加し、透光体の中間で形成される紫色部分も順次上方に移動し、空気の汚れ度合が高くなってきていることが判別できる。そして、汚れ度合が更に高まり、あるレベル以上になると図１０の（Ｅ）のように赤色のＬＥＤ１０Ａの輝度が高まり、透光体９Ａ全体が赤色に表示され空気が非常に汚れていることが知らされる。
【００３１】
また、空気清浄機が運転されることにより、室内の空気が浄化されていくに従い、透光体９Ａに照射する青色のＬＥＤ１０Ａの輝度が順次高まり、空気が清浄化された段階では透光体９Ａによる表示は青色のみとなる。
【００３２】
このように本発明の実施例２の空気清浄機の発光表示装置によれば、透光体９Ａの設けられるＬＥＤの色を青色のＬＥＤ１０Ａと赤色のＬＥＤ１１Ａのように色の異なるものとし、ＬＥＤの輝度を調整する構成としたので、従来のようにＬＥＤを複数個並べ、汚れ度合に応じて点灯個数、点灯色を変化させ、汚れ度合を表示するものと比較して、ＬＥＤは青色のＬＥＤ１０Ａと赤色のＬＥＤ１１Ａとの一対で実現でき、ＬＥＤの個数を削減することができるとともに混合色の紫色部分も順次移動するため、濃度変化を段階的に知ることができる。
【００３３】
（実施例３）
図１１および図１２に示すように、空気の清浄手段（図示せず）を設けた本体３Ａの前面側に合成樹脂製のフロントパネル４Ａを着脱可能に設け、フロントパネル４Ａに凹レンズ状に裏面を肉ぬすみした薄肉部を一体成形して表示部１６を形成する。この表示部１６の裏面に対向してＬＥＤ１７を本体３Ａに設けＬＥＤ１７の周囲にはラッパ状に形成した反射体１８を設け、ＬＥＤ１７の発光が薄肉の表示部１６に照射される形状となっている。
【００３４】
上記構成において、ＬＥＤ１７を点灯するとＬＥＤ１７からの光がフロントパネル４Ａの裏面側より表示部１６に照射され、表示部１６はＬＥＤ１７の光を透過するとき凹レンズとして働き、直進光を屈折させて広範囲に拡げ、また薄肉構造であるため、表示部１６に視認性を高めるように明るく表示される。
【００３５】
このように本発明の実施例３の空気清浄機の発光表示装置によれば、空気の清浄手段７Ａを設けた本体３Ａと、この本体３Ａの前面側に設けられる合成樹脂製のフロントパネル４Ａと、このフロントパネル４Ａに一体成形した薄肉形状の表示部１６とを備え、表示部１６の裏面側からＬＥＤ１７の光を透過して表示させる構成としたので、化粧パネルや別部品等が不要となり、製造コストを削減することができ、また、フロントパネル４Ａ表面に凹凸が生じないので、フロントパネル４Ａの表面が汚れた場合に清掃が容易となるとともにデザイン性も向上することができる。
【００３６】
（実施例４）
図１３〜図１５に示すように、フロントパネル４Ａに形成した表示部１６Ａの後方に、横長のラッパ状に形成した反射体１８Ａを配置し、この反射体１８Ａの凹部に青色のＬＥＤ１０Ｂと赤色のＬＥＤ１１Ｂを左右に並設している。
【００３７】
上記構成において、空気中の汚れレベルが零の場合には、青色のＬＥＤ１０Ｂを点灯し図１５の（イ）のように表示部１６Ａの左寄りに青色を照射して表示する。汚れレベルが高まってくると、青色のＬＥＤ１０Ｂと赤色のＬＥＤ１１Ｂを同時に点灯して図１５の（ロ）のように表示部１６Ａの中央に大きく青赤２色を照射して表示する。汚れレベルが高い場合には赤色のＬＥＤ１１Ｂのみを点灯し図１５の（ハ）のように表示部１６Ａの右寄りに赤色を照射して表示する。従って使用者は表示部１６Ａに照射される光の色、大きさ、相対位置を見て空気の汚れレベルを容易に判断することができる。
【００３８】
このように本発明の実施例４の空気清浄機の発光表示装置によれば、表示部１６Ａの裏側に並設されるＬＥＤを、青色のＬＥＤ１０Ｂと赤色のＬＥＤ１１Ｂにより形成し、ＬＥＤの色を青色と赤色に切り換え変化させ表示する構成としたことにより、従来はＬＥＤを複数個並べて汚れレベルに応じてＬＥＤの点灯個数や、点灯色を変化汚れレベルを表示していたのを、１箇所に並設した２個の青色のＬＥＤ１０Ｂと赤色のＬＥＤ１１Ｂの色の変化や照射範囲、照射位置の違いで汚れレベルを分かりやすく表示することができ、ＬＥＤの個数の削減および表示場所の省スペース化が図れる。
【００３９】
なお本実施例ではＬＥＤを赤色２色としたが、ＬＥＤの本数と色数を３以上としても同様の効果が得られる。
【００４０】
【発明の効果】
以上の実施例から明らかなように、本発明によれば空気の清浄手段を設けた本体と、細長形状の透光体の両端から照射するＬＥＤを設けた空気の汚れ度合を色表示する発光表示体とを備え、前記発光表示体を本体の前面側に設け表示する構成としたので、発光表示体の輝度が増大し視認性の向上を図ることのできる空気清浄機の発光表示装置を提供できる。
【００４１】
また、空気の清浄手段を設けた本体と、この本体の前面側に設けられる合成樹脂製のフロントパネルと、このフロントパネルに一体成形した薄肉の表示部とを備え、前記表示部の裏面側からＬＥＤの光を透過して表示するので、化粧パネルや別部品等が不要となり製造コストの削減を図ることができる。
【００４２】
また、本体の前面にフロントパネルを設け、前記フロントパネルに細長形状の反射面を形成し、発光表示体の透光体の近傍に前記反射面を配設し前方に反射させる構成したので、視認性をさらに向上することができる。
【００４３】
また、透光体の両端に発光色の異なるＬＥＤを設けたので、略中央で混合して３段階の表示ができる。
【００４４】
また、透光体の両端に設けられるＬＥＤの輝度を調整する構成としたので上下２箇所のＬＥＤで汚れ度合を段階的に表示することができ、ＬＥＤ個数を削減することが可能となりコスト削減を図ることができる。
【００４５】
また、表示部の裏側に並設される発光色の異なるＬＥＤを設け、このＬＥＤの発光を組み合わせて前記表示部に表示する構成としたので、簡単な部品構成でありながら、表示部に発光色、照射範囲、照射位置の違いで汚れレベルを分かりやすく表示することができ、ＬＥＤの個数削減および表示場所の省スペース化が図れる。
【図面の簡単な説明】
【図１】本発明の実施例１の空気清浄機の発光表示装置の本体側の正面図
【図２】同空気清浄機の発光表示装置の上部側のＬＥＤ群を示す部分正面図
【図３】同空気清浄機の発光表示装置の下部側のＬＥＤ群を示す部分正面図
【図４】同空気清浄機の発光表示装置を示す本体の斜視図
【図５】同空気清浄機の発光表示装置を示す本体の断面図
【図６】同空気清浄機の発光表示装置の反射面を示す部分断面図
【図７】同空気清浄機の発光表示装置の汚れレベルと汚れ表示を示す説明図
【図８】同空気清浄機の発光表示装置の汚れレベルと色表示を示す説明図
【図９】本発明の実施例２の空気清浄機の発光表示装置の側面図
【図１０】同空気清浄機の発光表示装置の汚れレベルと色表示を示す説明図
【図１１】本発明の実施例３の空気清浄機の発光表示装置を示す本体の要部透視図
【図１２】同空気清浄機の発光表示装置の断面図
【図１３】本発明の実施例４の空気清浄機の発光表示装置を示す本体の断面図
【図１４】同空気清浄機の発光表示装置を示す部分断面図
【図１５】同空気清浄機の発光表示装置の表示部の表示状態を示す説明図
【図１６】従来の空気清浄機の発光表示装置の表示部を示す本体の斜視図
【符号の説明】
３      本体
３Ａ    本体
４      フロントパネル
４Ａ    フロントパネル
７      空気の清浄手段
９      透光体
９Ａ    透光体
１０    青色のＬＥＤ
１０Ａ  青色のＬＥＤ
１０Ｂ  青色のＬＥＤ
１１    赤色のＬＥＤ
１１Ａ  赤色のＬＥＤ
１１Ｂ  赤色のＬＥＤ
１３    発光表示体
１４    反射面
１６    表示部
１６Ａ  表示部
１７    ＬＥＤ
【図１】
2005003334.tif 000003
【図２】
2005003334.tif 000004
【図３】
2005003334.tif 000005
【図４】
2005003334.tif 000006
【図５】
2005003334.tif 000007
【図６】
2005003334.tif 000008
【図７】
2005003334.tif 000009
【図８】
2005003334.tif 000010
【図９】
2005003334.tif 000011
【図１０】
2005003334.tif 000012
【図１１】
2005003334.tif 000013
【図１２】
2005003334.tif 000014
【図１３】
2005003334.tif 000015
【図１４】
2005003334.tif 000016
【図１５】
2005003334.tif 000017
【図１６】
2005003334.tif 000018